(57)【要約】【課題】幼児を本体部上の適正位置に確実に保持できるベビーキャリアを提供する。【解決手段】背当て部(11)の下端に股当て部(12)が連続形成され、左右の肩ベルト(20)(20)が背当て部(11)の上端から股当て部(12)に架け渡されたベビーキャリアにおいて、前記肩ベルト(20)と背当て部(11)の側縁部との間に開閉可能なブリッジ(25a)(25b)が架け渡され、環状の足入れ部(26)が形成されている。【選択図】  図１
2009082551.tif 000002
【特許請求の範囲】
【請求項１】
背当て部の下端に股当て部が連続形成され、左右の肩ベルトが背当て部の上端から股当て部に架け渡されたベビーキャリアにおいて、
前記肩ベルトと背当て部の側縁部との間に開閉可能なブリッジが架け渡され、環状の足入れ部が形成されていることを特徴とするベビーキャリア。
【請求項２】
前記ブリッジの肩ベルトまたは背当て部からの突出角度が調整可能となされている請求項１に記載のベビーキャリア。
【請求項３】
前記肩ベルトは長さ方向において分離しない請求項１また２に記載のベビーキャリア。
【発明の詳細な説明】
【技術分野】
【０００１】
本発明は、幼児の抱持を補助するためのベビーキャリアに関する。
【背景技術】
【０００２】
幼児抱持の補助具として、シート状の背当て部に左右の肩ベルトを取り付けたものがある（非特許文献１参照）。
【０００３】
図４に示すベビーキャリア(40)はこのタイプの補助具の一例であり、幼児の身体にあてがう本体部(10)を背当て部(11)と股当て部(12)とが連続する逆台形のシートで形成し、背当て部(11)の上端から股当て部(12)の先端に肩ベルト(41)(41)を架け渡して背当て部(11)で幼児を使用者に密着させるようにしたものである。このベビーキャリアキャリア(40)を側面から見ると、肩ベルト(41)、背当て部(11)、股当て部(12)が一つの環となって大きく開いている。このため、幼児の落下防止を目的として、肩ベルト(41)または股当て部(12)から背当て部(11)の側縁部に足抑えベルト(42)を取り付けて環状の足入れ部(43)が形成し、この足入れ部(43)に足を通すようにしている。前記足抑えベルト(42)は足の出し入れのし易さを考慮して伸縮材料が用いられている。
【０００４】
上記ベビーキャリア(40)でおんぶする場合、肩ベルト(41)のバックル(44)を分離して本体部(10)を広げて幼児を寝かせ、足を足抑えベルト(42)の下に足をくぐらせて、足入れ部(43)に通す。そして、前記バックル(44)を連結してから幼児を抱き起こし、肩ベルト(41)を持ち上げて両肩に掛ける。
【非特許文献１】ベビーキャリー、〔２００７年９月１４日検索〕、インターネット〈ＵＲＬ：http://www.eightex.co.jp/shopping/view.php?kubun=1〉
【発明の開示】
【発明が解決しようとする課題】
【０００５】
前記ベビーキャリア(40)では、股当て部(12)が足抑えベルト(42)に持ち上げられて、本体部(10)が側面視略Ｕ字形となっている。このため、本体部(10)を広げようとしても持ち上げられた股当て部(12)が邪魔になり、幼児を本体部(10)の長さ方向（幼児の身長の方向）における適正位置に寝かせることが困難であり、不適正な位置であっても気づかないことも多い。幼児を不適正な位置に寝かせるとそのままの状態で吊下げられるので、安定した抱持ができなくなる。即ち、幼児の位置が股当て部(12)側に寄りすぎると肩ベルト(41)が腕を持ち上げることになって窮屈であり、逆に背当て部(11)側に寄りすぎると肩ベルト(41)の上から出る身体部分が多くなって不安定になる。
【０００６】
さらに、肩ベルト(41)のバックル(44)が連結していると背当て部(11)上に肩ベルト(41)が被さって邪魔になるので、幼児を寝かせる時に分離し、抱き起こす時に再び連結しなければならず、抱持の準備が面倒である。
【課題を解決するための手段】
【０００７】
本発明は、上述した従来のベビーキャリアに鑑み、幼児を本体部上の適正位置に確実に保持でき、かつ少ない手数で抱持できるベビーキャリアの提供を目的とする。
【０００８】
即ち、本発明のベビーキャリアは下記［１］〜［３］に記載の構成を有する。
【０００９】
［１］背当て部の下端に股当て部が連続形成され、左右の肩ベルトが背当て部の上端から股当て部に架け渡されたベビーキャリアにおいて、
前記肩ベルトと背当て部の側縁部との間に開閉可能なブリッジが架け渡され、環状の足入れ部が形成されていることを特徴とするベビーキャリア。
【００１０】
［２］前記ブリッジの肩ベルトまたは背当て部からの突出角度が調整可能となされている前項１に記載のベビーキャリア。
【００１１】
［３］前記肩ベルトは長さ方向において分離しない前項１また２に記載のベビーキャリア。
【発明の効果】
【００１２】
上記［１］に記載のベビーキャリアは、ブリッジを開くと背当て部および股当て部が平らに展開されるので、幼児を適正な位置に寝かせることができ、ひいては正しい位置で幼児を保持することができる。また、幼児を寝かせる際に肩ベルトが邪魔にならない。
【００１３】
上記［２］に記載のベビーキャリアによれば、幼児の身長に応じて抱持位置を微調整することができる。
【００１４】
上記［３］に記載のベビーキャリアによれば、肩ベルトの構造が簡略なものとなる。
【発明を実施するための最良の形態】
【００１５】
図１に、本発明にかかるベビーキャリアの一例を示す。
【００１６】
ベビーキャリア(1)において、幼児の身体にあてがう本体部(10)は背当て部(11)と股当て部(12)とが連続形成された逆台形状のシートである。前記背当て部(11)の中央上端には、頭部サポート部(13)が連続形成されて、その両端が肩ベルト(20)(20)に着脱自在に係止される。
【００１７】
左右の肩ベルト(20)(20)は、前記背当て部(11)の上端と股当て部(12)の先端との間に架け渡されている。前記肩ベルト(20)は、背当て部(11)に続く肩当て部(21)と、股当て部(12)に続く下方部(22)とがクッション性を有する広幅帯で構成され、これらの間の中間部(23)は細幅の帯紐で構成されている。また、前記中間部(23)はスライダー(24)によって長さが調節され、ひいては肩ベルト(20)の長さが調節される。
【００１８】
前記肩ベルト(20)の下方部(22)には、外方に向けてバックル(25)の第１部材(25a)が取り付けられ、前記背当て部(11)の側縁部には、前記第１部材(25a)の相手方の第２部材(25b)が取り付けられている。前記第１部材(25a)および第２部材(25b)は、下方部(22)および背当て部(11)に縫着された帯紐(27)介して取り付けられている。そして、第１部材(25a)と第２部材(25b)を連結することによって、環状の足入れ部(26)が形成される。前記バックル(25)は本発明におけるブリッジに対応する。
【００１９】
上記ベビーキャリア(1)を用いて幼児を抱持する手順について、図面を参照しつつ説明する。
（１）図２Ａ
足抑え用のバックル(25)の第１部材(25a)と第２部材(25b)を分離して本体部(10)を広げ、幼児を寝かせる。バックル(25)を分離すると背当て部(11)と股当て部(12)とが平らに展開されるので、股当て部(12)に邪魔されることなく適正位置に寝かせることができる。
（２）図２Ｂ
股当て部(12)を持ち上げてバックル(25)の第１部材(25a)を第２部材(25b)に連結する。バックル(25)の連結により、環状の足入れ部(26)が形成されるとともに、足入れ部(26)内に足を通した状態になる。このとき、幼児の位置が適正範囲からずれていると、第１部材(25a)と第２部材(25b)を近接させたときに上下方向に大きいずれが生じ、幼児の位置が不適正であることを知ることができる。また、不適正であった場合はこの段階で修正することができる。
（３）図３
本体部(10)に寝かせた幼児を抱き起こし、本体部(10)を使用者の背面側に配置して肩ベルト(20)(20)を掛けておんぶする。また、本体部(10)を胸側に配置すれば対面だっこすることができる。幼児は本体部(10)上の適正位置に寝かされているので、肩ベルト(20)で吊り下げた状態においても正しい位置で保持される。
【００２０】
また、前記頭部サポート部材(13)を折り曲げれば幼児を前向きにだっこすることができる。さらに、本体部(10)を水平にして２本の肩ベルトを一方の肩に掛ければ横抱きに用いることもできる。
【００２１】
上記ベビーキャリア(1)では、バックル(25)を分離すると背当て部(11)と股当て部(12)とが平らに展開されるので、股当て部(12)に邪魔されることなく適正な位置に寝かせることができる。また、平らに展開できることで肩ベルト(20)を背当て部(11)の側方に除けることができ、幼児を寝かせる時に肩ベルト(20)が邪魔になることもない。従って、図４の従来のベビーキャリア(40)のように肩ベルト(41)を長さ方向で分離する必要がなく、分離しない肩ベルト(20)を採用することができる。なお、本発明のベビーキャリアにおいて、肩ベルトを分離可能とするか分離不可とするかは任意に選択できるが、分離不可とすることで連結具が不要となり構造を簡略化できる。
【００２２】
さらに、本体部(10)内に幼児を収容する際にバックル(25)を開いて足入れ部(26)を開環するので、収容動作を見込んでバックル(25)あるいは取付け用の帯紐(27)の長さを長くする必要がない。むしろ、過剰なゆとりを持たせず足入れ部(26)を大きくしすぎないことで、幼児をしっかりと保持することができる。また、収容動作のためにバックル(25)あるいは取付け用の帯紐(27)に伸縮性材料を用いる必要もないので、抱持状態において幼児が足をばたつかせても足入れ部(26)が不本意に拡大されることがなくしっかりと保持できる。
【００２３】
また、本体部(10)上で幼児を寝かせる適正な位置は幼児の身長によって僅かに異なり、バックル(25)を連結する際には股当て部(12)を折り上げる位置を微調整することが好ましい。折り上げ位置によって分離した第１部材(25a)と第２部材(25b)との間に生じる僅かなずれは、肩ベルト(20)または背当て部(11)からのバックル(25)の突出角度を変えることによって解消することができ、幼児へのフィット性を高めることができる。突出角度は、例えば、バックル(25)を回転部材やリングを介して回転可能に取り付ける方法をことによって調節することができる。また、身長差によって必要となる調整範囲は僅かなものであるから、図示例のベビーキャリア(1)のように、硬質材料で形成されたバックル(25)の第１部材(25a)および第２部材(25b)を融通の利く帯紐(27)を介して取り付ける、という簡単な手段でも調節可能とすることができる。
【００２４】
なお、前記身長差による微調整範囲は、上記手順の（１）（２）で説明した適正範囲内に収まる程度の小さいものである。従って、バックル(25)の突出角度が前記微調整範囲を超えないように設定しておけば、寝かせた位置が適正範囲を外れていることに気づかずバックル(25)を連結するという不都合は回避される。逆に、バックル(25)のずれが微調整範囲を超えている場合は、寝かせた位置が適正範囲から外れているので幼児の位置を修正する必要があるという目安になる。
【００２５】
環状の足入れ部を形成するためのブリッジは、開閉可能であれば良く、上述したバックル(25)に限定されるものではない。他のブリッジとして、肩ベルト(20)または背当て部(11)に取り付けたベルトを他方にボタン、スナップ、面ファスナ等で止めるようにしても良いし、フックを掛け止めるようにしも良い。また、ベルトを肩ベルト(20)および背当て部(11)の両方に止めるようにして、取り外し可能にすることもできる。また、ブリッジが硬質部材で形成されている場合は、クッション材で覆うようにしても良い。
【００２６】
この発明のベビーキャリア(1)の各部の詳細な構成は、図示とともに上述した態様に限定されない。
【００２７】
例えば、頭部サポート部材は背当て部に対して着脱自在に取り付けても良いし、頭部サポート部材が無くても良い。また、本体部に幼児の腹部に回し止める安全ベルトや、肩ベルトのずり落ちを防ぐために２本の肩ベルトの間隔を規制するベルト等も任意に追加することができる。
【産業上の利用可能性】
【００２８】
この発明のベビーキャリアは、幼児を本体部上の適正位置に確実に収容できるので、より安定した幼児抱持の補助に用いることができる。
【図面の簡単な説明】
【００２９】
【図１】本発明のベビーキャリアの一例を示す斜視図である。
【図２Ａ】図１のベビーキャリアの本体部を展開した状態を示す斜視図である。
【図２Ｂ】図１のベビーキャリアの足抑え用のバックルを連結した状態を示す斜視図である。
【図３】図１のベビーキャリアを用いて幼児をおんぶした状態を示す斜視図である
【図４】従来のベビーキャリアを示す斜視図である。
【符号の説明】
【００３０】
1…ベビーキャリア
10…本体部
11…背当て部
12…股当て部
20肩ベルト
25…バックル（ブリッジ）
25a…第１部材
25b…第２部材
26…足入れ部
27…帯紐
【図１】
2009082551.tif 000003
【図２Ａ】
2009082551.tif 000004
【図２Ｂ】
2009082551.tif 000005
【図３】
2009082551.tif 000006
【図４】
2009082551.tif 000007